(57)【要約】【課題】容易にユーザの嗜好が反映された多チャンネル番組自動録画設定を行うことが可能な録画装置を提供する。【解決手段】この録画装置１００は、放送番組が記憶されている外部記憶装置１０２が接続される接続部２１と、多チャンネル番組自動録画設定に基づいて、所定の時間帯に放送される放送番組を自動的に録画する制御を行う制御部２４と、を備える。そして、制御部２４は、外部記憶装置１０２に記憶されている放送番組の番組情報を取得する制御を行うとともに、取得された番組情報に基づいて、多チャンネル番組自動録画設定を取得する制御を行うように構成されている。【選択図】図８
2015226181.tif 000002
【特許請求の範囲】
【請求項１】
放送番組が記憶されている外部記憶装置が接続される接続部と、
多チャンネル番組自動録画設定に基づいて、所定の時間帯に放送される放送番組を自動的に録画する制御を行う制御部と、を備え、
前記制御部は、前記外部記憶装置に記憶されている放送番組の番組情報を取得する制御を行うとともに、取得された前記番組情報に基づいて、多チャンネル番組自動録画設定を取得する制御を行うように構成されている、録画装置。
【請求項２】
前記制御部は、前記外部記憶装置が接続されたことに基づいて、前記外部記憶装置に記憶されている放送番組の番組情報を取得する制御を行うとともに、取得された前記番組情報に基づいて、多チャンネル番組自動録画設定を取得する制御を行うように構成されている、請求項１に記載の録画装置。
【請求項３】
前記制御部は、取得された前記番組情報に基づく多チャンネル番組自動録画設定が取得された場合には、取得された前記番組情報に基づく多チャンネル番組自動録画設定をユーザに通知する制御を行うように構成されている、請求項１または２に記載の録画装置。
【請求項４】
前記制御部は、取得された前記番組情報に基づく多チャンネル番組自動録画設定に変更するか否かの問い合わせをユーザに通知する制御を行うとともに、取得された前記番組情報に基づく多チャンネル番組自動録画設定に変更することが選択された場合に、多チャンネル番組自動録画設定を、取得された前記番組情報に基づく多チャンネル番組自動録画設定に変更する制御を行うように構成されている、請求項３に記載の録画装置。
【請求項５】
前記制御部は、録画動作が行われていない際に、多チャンネル番組自動録画設定を、取得された前記番組情報に基づく多チャンネル番組自動録画設定に変更する制御を行うように構成されている、請求項４に記載の録画装置。
【請求項６】
前記制御部は、録画動作が行われていない際に、取得された前記番組情報に基づいて、多チャンネル番組自動録画設定を取得する制御を行うように構成されている、請求項１〜５のいずれか１項に記載の録画装置。
【請求項７】
放送番組を記憶するための内部記憶部をさらに備え、
前記制御部は、前記外部記憶装置および前記内部記憶部に記憶されている放送番組の番組情報を取得する制御を行うとともに、取得された前記番組情報に基づいて、多チャンネル番組自動録画設定を取得する制御を行うように構成されている、請求項１〜６のいずれか１項に記載の録画装置。
【請求項８】
放送番組を記憶するための内部記憶部をさらに備え、
前記制御部は、前記外部記憶装置の接続が解除されたことに基づいて、前記内部記憶部に記憶されている放送番組の番組情報を取得する制御を行うとともに、取得された前記番組情報に基づいて、多チャンネル番組自動録画設定を取得する制御を行うように構成されている、請求項１〜７のいずれか１項に記載の録画装置。
【請求項９】
前記接続部は、一の外部記憶装置および前記一の外部記憶装置とは異なる他の外部記憶装置が接続されるように構成されており、
前記制御部は、前記一の外部記憶装置が接続される際に、前記他の外部記憶装置が接続されている場合には、前記一の外部記憶装置が接続されたことに基づいて、前記一の外部記憶装置および前記他の外部記憶装置に記憶されている放送番組の番組情報を取得する制御を行うとともに、取得された前記番組情報に基づいて、多チャンネル番組自動録画設定を取得する制御を行うように構成されている、請求項１〜８のいずれか１項に記載の録画装置。
【請求項１０】
前記制御部は、放送番組の放送された曜日、時間帯、チャンネル、および、放送番組のジャンルのうち少なくともいずれか１つの取得された前記番組情報に基づいて、多チャンネル番組自動録画設定を取得する制御を行うように構成されている、請求項１〜９のいずれか１項に記載の録画装置。
【発明の詳細な説明】
【技術分野】
【０００１】
この発明は、録画装置に関し、特に、外部記憶装置が接続される接続部を備える録画装置に関する。
【背景技術】
【０００２】
従来、外部記憶装置が接続される接続部を備える録画装置が知られている（たとえば、特許文献１参照）。
【０００３】
上記特許文献１には、ストレージデバイス（外部記憶装置）が接続されるＵＳＢ端子（接続部）と、録画処理部とを備えるテレビジョン放送受信装置（録画装置）が開示されている。このテレビジョン放送受信装置では、録画処理部は、ユーザによって設定される、チャンネル番号、曜日、および、時間帯に基づいて、録画対象番組をストレージデバイスに自動的に録画する処理（タイムシフトマシン録画処理）を実行するように構成されている。このテレビジョン放送受信装置では、たとえば、全てのチャンネル番号、全ての曜日、および、時間帯１９：００〜２３：００という設定がユーザにより行われると、時間帯１９：００〜２３：００に放送される全てのチャンネルの放送番組が録画対象番組として毎日自動的に録画される。
【先行技術文献】
【特許文献】
【０００４】
【特許文献１】特開２０１４−４９９８４号公報
【発明の概要】
【発明が解決しようとする課題】
【０００５】
しかしながら、録画装置を買い換える際など、現在使用している録画装置から、上記特許文献１に記載のテレビジョン放送受信装置のようにタイムシフトマシン録画処理が可能な録画装置に移行する場合には、ユーザは、移行した録画装置において、一からタイムシフトマシン録画処理に関する設定（多チャンネル番組自動録画設定）を行う必要がある。このため、ユーザは、自身の嗜好を反映させたタイムシフトマシン録画処理に関する設定を行うのに手間がかかってしまうという問題点がある。
【０００６】
この発明は、上記のような課題を解決するためになされたものであり、この発明の１つの目的は、容易にユーザの嗜好が反映された多チャンネル番組自動録画設定を行うことが可能な録画装置を提供することである。
【課題を解決するための手段】
【０００７】
この発明の一の局面による録画装置は、放送番組が記憶されている外部記憶装置が接続される接続部と、多チャンネル番組自動録画設定に基づいて、所定の時間帯に放送される放送番組を自動的に録画する制御を行う制御部と、を備え、制御部は、外部記憶装置に記憶されている放送番組の番組情報を取得する制御を行うとともに、取得された番組情報に基づいて、多チャンネル番組自動録画設定を取得する制御を行うように構成されている。
【０００８】
この発明の一の局面による録画装置では、上記のように、外部記憶装置に記憶されている放送番組の番組情報を取得する制御を行うように制御部を構成する。これにより、外部記憶装置を使用しているユーザの嗜好に基づく放送番組の番組情報を、外部記憶装置から取得することができる。そして、取得された番組情報に基づいて、多チャンネル番組自動録画設定を取得する制御を行うように制御部を構成する。これにより、外部記憶装置を使用していたユーザの嗜好に基づく多チャンネル番組自動録画設定を移行した録画装置の制御部により自動的に取得することができる。その結果、移行した録画装置において、容易に、自身の嗜好が反映された多チャンネル番組自動録画設定を行うことができる。
【０００９】
上記一の局面による録画装置において、好ましくは、制御部は、外部記憶装置が接続されたことに基づいて、外部記憶装置に記憶されている放送番組の番組情報を取得する制御を行うように制御部を構成するとともに、取得された番組情報に基づいて、多チャンネル番組自動録画設定を取得する制御を行うように構成されている。このように構成すれば、外部記憶装置を使用していたユーザは、外部記憶装置を録画装置に接続させるだけで、より容易に、多チャンネル番組自動録画設定を行うことができる。
【００１０】
上記一の局面による録画装置において、好ましくは、制御部は、取得された番組情報に基づく多チャンネル番組自動録画設定が取得された場合には、取得された番組情報に基づく多チャンネル番組自動録画設定をユーザに通知する制御を行うように構成されている。このように構成すれば、外部記憶装置を使用していたユーザは、移行した録画装置の制御部により取得された多チャンネル番組自動録画設定が、自身の嗜好が反映された多チャンネル番組自動録画設定であるか否かを確認することができる。
【００１１】
上記番組情報に基づく多チャンネル番組自動録画設定をユーザに通知する制御を行う構成において、好ましくは、制御部は、取得された番組情報に基づく多チャンネル番組自動録画設定に変更するか否かの問い合わせをユーザに通知する制御を行うとともに、取得された番組情報に基づく多チャンネル番組自動録画設定に変更することが選択された場合に、多チャンネル番組自動録画設定を、取得された番組情報に基づく多チャンネル番組自動録画設定に変更する制御を行うように構成されている。このように構成すれば、外部記憶装置を使用していたユーザは、移行した録画装置において、自身の嗜好が反映された多チャンネル番組自動録画設定である場合に、制御部により取得された多チャンネル番組自動録画設定に変更することができる。また、自身の嗜好が反映された多チャンネル番組自動録画設定ではない場合には、ユーザは、制御部により取得された多チャンネル番組自動録画設定に変更しないようにすれば、自身の嗜好が反映されていない多チャンネル番組自動録画設定が行われるのを抑制することができる。
【００１２】
この場合、好ましくは、制御部は、録画動作が行われていない際に、多チャンネル番組自動録画設定を、取得された番組情報に基づく多チャンネル番組自動録画設定に変更する制御を行うように構成されている。このように構成すれば、録画動作が行われている際に多チャンネル番組自動録画設定が変更されたことに起因して、現在録画中の放送番組が多チャンネル自動録画設定に含まれなくなった場合などに、録画動作が正常に行われなくなってしまうのを抑制することができる。
【００１３】
上記一の局面による録画装置において、好ましくは、制御部は、録画動作が行われていない際に、取得された番組情報に基づいて、多チャンネル番組自動録画設定を取得する制御を行うように構成されている。このように構成すれば、制御部による処理の負荷が大きい録画動作が行われていない際に、取得された番組情報に基づく多チャンネル番組自動録画設定を取得することができる。その結果、制御部の処理負荷が増大するのを抑制することができるとともに、取得された番組情報に基づいて多チャンネル番組自動録画設定を取得する制御を迅速に行うことができる。
【００１４】
上記一の局面による録画装置において、好ましくは、放送番組を記憶するための内部記憶部をさらに備え、制御部は、外部記憶装置および内部記憶部に記憶されている放送番組の番組情報を取得する制御を行うとともに、取得された番組情報に基づいて、多チャンネル番組自動録画設定を取得する制御を行うように構成されている。このように構成すれば、外部記憶装置に記憶されている放送番組の番組情報に加えて、内部記憶部に記憶されている放送番組の番組情報にも基づいて多チャンネル番組自動録画設定を取得することができる。その結果、内部記憶部に記憶されている放送番組の番組情報にも基づく分、よりユーザの嗜好が反映された多チャンネル番組自動録画設定を取得することができる。
【００１５】
上記一の局面による録画装置において、好ましくは、放送番組を記憶するための内部記憶部をさらに備え、制御部は、外部記憶装置の接続が解除されたことに基づいて、内部記憶部に記憶されている放送番組の番組情報を取得する制御を行うとともに、取得された番組情報に基づいて、多チャンネル番組自動録画設定を取得する制御を行うように構成されている。このように構成すれば、たとえば、外部記憶装置を使用するユーザが録画装置を使用しなくなることにより、外部記憶装置の接続が解除された場合に、外部記憶装置を使用する（録画装置を使用しない）ユーザの嗜好を除外した状態で、多チャンネル番組自動録画設定を取得することができる。その結果、録画装置を使用する他のユーザのみの嗜好が反映された多チャンネル番組自動録画設定を容易に取得することができる。したがって、録画装置を使用するユーザの人数に変化がある場合にも、容易に、変化した後のユーザ（他のユーザ）の嗜好が反映された多チャンネル番組自動録画設定を行うことができる。
【００１６】
上記一の局面による録画装置において、好ましくは、接続部は、一の外部記憶装置および一の外部記憶装置とは異なる他の外部記憶装置が接続されるように構成されており、制御部は、一の外部記憶装置が接続される際に、他の外部記憶装置が接続されている場合には、一の外部記憶装置が接続されたことに基づいて、一の外部記憶装置および他の外部記憶装置に記憶されている放送番組の番組情報を取得する制御を行うとともに、取得された番組情報に基づいて、多チャンネル番組自動録画設定を取得する制御を行うように構成されている。このように構成すれば、たとえば、一の外部記憶装置を使用するユーザと、他の外部記憶装置を使用するユーザとが異なるユーザである場合に、一の外部記憶装置を使用するユーザおよび他の外部記憶装置を使用するユーザの両方の嗜好が反映された多チャンネル番組自動録画設定を取得することができる。また、たとえば、一の外部記憶装置を使用するユーザと、他の外部記憶装置を使用するユーザとが同じユーザである場合には、他の外部記憶装置に記憶されている放送番組の番組情報にも基づく分、一および他の外部記憶装置を使用するユーザの嗜好がより反映された多チャンネル番組自動録画設定を取得することができる。
【００１７】
上記一の局面による録画装置において、好ましくは、制御部は、放送番組の放送された曜日、時間帯、チャンネル、および、放送番組のジャンルのうち少なくともいずれか１つの取得された前記番組情報に基づいて、多チャンネル番組自動録画設定を取得する制御を行うように構成されている。ここで、放送番組の放送された曜日、時間帯、チャンネル、および、放送番組のジャンルには、ユーザの嗜好が反映され易いと考えられる。したがって、上記のように構成すれば、ユーザの嗜好を判別するのに好適な情報に基づく分、より確実に、ユーザの嗜好が反映された多チャンネル番組自動録画設定を取得することができる。
【発明の効果】
【００１８】
本発明によれば、上記のように、容易にユーザの嗜好が反映された多チャンネル番組自動録画設定を行うことが可能な録画装置を提供することができる。
【図面の簡単な説明】
【００１９】
【図１】本発明の第１実施形態による録画装置の全体構成を示す図である。
【図２】本発明の第１実施形態による録画装置の全体構成を示すブロック図である。
【図３】本発明の第１実施形態による録画装置の多チャンネル自動録画設定画面を示す図である。
【図４】本発明の第１実施形態による録画装置の番組情報（放送番組のジャンル）の取得結果を説明するための図である。
【図５】本発明の第１実施形態による録画装置の多チャンネル自動録画設定の取得の方法を説明するための図である。
【図６】本発明の第１実施形態による録画装置の多チャンネル自動録画設定の変更の通知画面を示す図である。
【図７】本発明の第１実施形態による録画装置の多チャンネル自動録画設定の変更内容の確認画面を示す図である。
【図８】本発明の第１実施形態による録画装置の外部記憶装置が接続されたことに基づく録画設定取得処理を説明するためのフローチャートである。
【図９】本発明の第２実施形態による録画装置の全体構成を示すブロック図である。
【図１０】本発明の第２実施形態による録画装置の外部記憶装置が接続されたことに基づく録画設定取得処理を説明するためのフローチャートである。
【図１１】本発明の第２実施形態による録画装置の外部記憶装置の接続が解除されたことに基づく録画設定取得処理を説明するためのフローチャートである。
【図１２】本発明の第３実施形態による録画装置の全体構成を示す図である。
【発明を実施するための形態】
【００２０】
以下、本発明を具体化した実施形態を図面に基づいて説明する。
【００２１】
（第１実施形態）
まず、図１を参照して、本発明の第１実施形態による録画装置１００の構成について説明する。
【００２２】
本発明の第１実施形態による録画装置１００は、図１に示すように、ハードディスクレコーダである。また、録画装置１００は、所定の規格のケーブルにより表示装置１０１と接続されている。表示装置１０１は、録画装置１００から入力される映像情報および音声情報に基づいて、映像を表示画面１０１ａに表示するとともに、音声を図示しないスピーカから出力するように構成されている。
【００２３】
この録画装置１００は、放送番組の録画機能および録画した放送番組の再生機能を有している。また、この録画装置１００は、放送番組の録画機能として、通常録画機能と、自動録画機能とを有している。通常録画機能は、ユーザにより指定された放送番組を録画（または予約録画）する機能のことである。また、自動録画機能は、ユーザにより録画する放送番組が指定されることなく、ユーザによる設定（多チャンネル番組自動録画設定）に基づいて所定の時間帯に放送される複数のチャンネルの放送番組を自動的に録画する機能のことである。
【００２４】
次に、図２を参照して、録画装置１００の具体的な構成について説明する。
【００２５】
録画装置１００は、２つの受信部１１と、復調部１２と、信号処理部１３と、ＯＳＤ生成部１４と、映像処理部１５と、音声出力部１６と、映像出力部１７とを備えている。また、録画装置１００は、操作部１８と、入力受付部１９とを備えている。また、録画装置１００は、内部記憶部２０と、接続部２１と、ＲＯＭ２２と、ＲＡＭ２３と、制御部２４とを備えている。
【００２６】
２つの受信部１１は、それぞれ、チューナを含んでいる。また、２つの受信部１１は、それぞれ、放送番組に関する映像情報、音声情報および電子番組表を構成するための番組情報を含む放送波を無線または有線で受信するように構成されている。なお、電子番組表を構成するための番組情報には、番組名、放送番組の開始時刻および終了時刻、放送番組のジャンルなどの情報が含まれている。
【００２７】
復調部１２は、受信部１１により受信された放送波を復調して、映像情報、音声情報および電子番組表を構成するための番組情報をデジタル信号として信号処理部１３に出力するように構成されている。
【００２８】
信号処理部１３は、入力された映像情報、音声情報および電子番組表を構成するための番組情報を各々の情報に分離するように構成されている。また、信号処理部１３は、放送番組を視聴する場合には、分離した音声情報を音声出力部１６に出力するとともに、分離した映像情報を映像処理部１５に出力するように構成されている。また、信号処理部１３は、電子番組表を構成するための番組情報を制御部２４に出力するように構成されている。
【００２９】
また、信号処理部１３は、放送番組を録画する場合には、分離した音声情報および映像情報を制御部２４に出力するように構成されている。そして、制御部２４は、信号処理部１３からの音声情報および映像情報を内部記憶部２０に記憶する制御を行うように構成されている。また、信号処理部１３は、録画した放送番組を再生する場合には、録画した放送番組の映像情報および音声情報を、制御部２４を介して、内部記憶部２０または後述する外部記憶装置１０２から取得して、音声情報を音声出力部１６に出力するとともに、映像情報を映像処理部１５に出力するように構成されている。
【００３０】
ＯＳＤ生成部１４は、制御部２４の制御に基づいて、受信部１１により受信された映像情報に基づく映像に合成されるＯＳＤ（Ｏｎ  Ｓｃｒｅｅｎ  Ｄｉｓｐｌａｙ）映像（画質設定画面、電子番組表などの映像）のためのＯＳＤ情報を生成するように構成されている。また、ＯＳＤ生成部１４は、生成したＯＳＤ情報を映像処理部１５に出力するように構成されている。
【００３１】
映像処理部１５は、信号処理部１３からの映像情報と、ＯＳＤ生成部１４からのＯＳＤ情報とを合成するとともに、映像出力部１７に出力するように構成されている。
【００３２】
音声出力部１６および映像出力部１７は、それぞれ、音声情報および映像情報を表示装置１０１で出力可能なようにデジタル信号からアナログ信号に変換するように構成されている。また、音声出力部１６および映像出力部１７は、それぞれ、アナログ信号に変換した音声情報および映像情報を表示装置１０１に出力するように構成されている。
【００３３】
操作部１８は、録画装置１００をユーザが操作するためのリモコン装置を含んでいる。また、操作部１８は、録画装置１００に関する各種の操作が可能なように構成されている。詳細には、操作部１８は、視聴する放送番組を切り替えるためのチャンネル切替操作、放送番組を録画するための録画操作、録画した放送番組を再生するための再生操作、および、自動録画のための設定操作などの操作が可能なように構成されている。また、操作部１８は、各種の操作がユーザによりなされた場合には、なされた操作に対応する操作信号を入力受付部１９に出力するように構成されている。
【００３４】
入力受付部１９は、操作部１８からの操作信号を受付するように構成されている。また、入力受付部１９は、受付した操作信号を制御部２４に出力するように構成されている。そして、制御部２４では、受付した操作信号に応じた制御が行われる。
【００３５】
内部記憶部２０は、録画装置１００に内蔵されるハードディスクドライブを含んでいる。また、内部記憶部２０は、録画される放送番組の情報（音声情報、映像情報などの情報）が記憶されるように構成されている。詳細には、内部記憶部２０は、通常録画用記憶部２０ａと、自動録画用記憶部２０ｂとを含んでいる。通常録画用記憶部２０ａおよび自動録画用記憶部２０ｂは、それぞれ、通常録画機能により録画される放送番組の情報および自動録画機能により録画される放送番組の情報が記憶されるように構成されている。
【００３６】
接続部２１は、ＵＳＢ規格に基づく端子を含んでいる。また、接続部２１は、録画装置１００に外付けされる外部記憶装置１０２がＵＳＢ規格に基づく所定のケーブルを介して接続されるように構成されている。外部記憶装置１０２としては、ハードディスクドライブ（ＨＤＤ）、および、ソリッドステートドライブ（ＳＳＤ）などが用いられる。この録画装置１００では、内部記憶部２０に加えて、接続された外部記憶装置１０２にも、通常録画機能および自動録画機能のいずれかの機能により録画される放送番組の情報を記憶させることが可能である。
【００３７】
第１実施形態では、外部記憶装置１０２には、放送番組が記憶されている。たとえば、外部記憶装置１０２は、録画装置１００とは異なる録画装置において使用されていた外部記憶装置であり、録画装置１００とは異なる録画装置において録画された放送番組が記憶されている。
【００３８】
ＲＯＭ２２は、書き換え可能なフラッシュＲＯＭを含む不揮発性のメモリである。ＲＯＭ２２は、制御部２４により実行される各種のプログラムが格納されるように構成されている。詳細には、ＲＯＭ２２は、後述する録画設定取得処理（図８参照）のためのプログラムなどが格納されるように構成されている。
【００３９】
ＲＡＭ２３は、揮発性のメモリである。また、ＲＡＭ２３は、ＲＯＭ２２に格納されたプログラムが制御部２４により実行される際に、作業領域として利用されるように構成されている。詳細には、ＲＡＭ２３は、録画設定取得処理のためのプログラムが制御部２４により実行される際などに作業領域として利用されるように構成されている。
【００４０】
制御部２４は、録画装置１００の各構成要素を制御するように構成されている。また、制御部２４は、多チャンネル自動録画設定に基づいて、所定の時間帯に放送される放送番組を自動的に録画する制御を行うように構成されている。
【００４１】
ここで、多チャンネル自動録画設定の詳細について、説明する。多チャンネル自動録画設定は、図３に示すように、多チャンネル自動録画設定画面３０において行われる。多チャンネル自動録画設定画面３０は、表示装置１０１の表示画面１０１ａに表示される。
【００４２】
多チャンネル自動録画設定画面３０には、自動録画する曜日（月曜日〜日曜日）、時間帯（０：００〜２４：００）、および、チャンネル（ＣＨ１〜ＣＨ６）を選択するための画像が表示されている。したがって、ユーザは、多チャンネル自動録画設定画面３０において、自動録画する曜日、時間帯、および、チャンネルを選択して、多チャンネル自動録画設定を行う。選択した曜日、時間帯、および、チャンネルの設定を反映させたい場合には、画面上の設定ボタン３１を操作部１８により操作する。反映させたくない場合には、画面上のキャンセルボタン３２を操作部１８により操作する。なお、この録画装置１００では、４：００〜５：００が録画装置１００のメンテナンス時間として設定されているので、この時間帯を自動録画する時間帯として選択することができない。メンテナンス時間は、ユーザの操作に基づいて、４：００〜５：００の時間帯から別の時間帯に変更されてもよい。
【００４３】
たとえば、録画装置１００を新たに購入したユーザは、自身の嗜好を反映させた自動録画を行うために、多チャンネル自動録画設定を多チャンネル自動録画設定画面３０において行う必要がある。
【００４４】
そこで、第１実施形態では、制御部２４は、放送番組が記憶されている外部記憶装置１０２が接続部２１に接続されたことに基づいて、外部記憶装置１０２に記憶されている放送番組の番組情報（放送番組の放送された曜日、時間帯、チャンネル、および、放送番組のジャンルなどの情報）を取得する制御を行うとともに、取得された番組情報に基づいて、多チャンネル自動録画設定を取得する制御を行うように構成されている。これにより、外部記憶装置１０２を使用しているユーザは、外部記憶装置１０２を録画装置１００に接続させるだけで、容易に、自身の嗜好が反映された多チャンネル番組自動録画設定を行うことが可能である。
【００４５】
具体的には、制御部２４は、外部記憶装置１０２に記憶されている放送番組のジャンルに基づいて、ユーザの嗜好が反映された多チャンネル自動録画設定を取得する制御を行うように構成されている。
【００４６】
次に、図４〜図７を参照して、上記した放送番組のジャンルに基づく多チャンネル自動録画設定の取得に関する制御部２４による制御の詳細について説明する。
【００４７】
まず、制御部２４は、図４に示すように、外部記憶装置１０２に記憶されている放送番組を放送番組のジャンルに基づいて分類し、分類したジャンル毎の放送番組の番組数を取得する制御を行うように構成されている。図４では、「映画」、「ドラマ」、「アニメ」、「ニュース」、および、「バラエティ」の５つのジャンルについて、それぞれのジャンル毎の放送番組の番組数が取得されている。具体的には、ジャンルが「映画」の放送番組の番組数が３本、「ドラマ」が１０本、「アニメ」が２０本、「ニュース」が０本、「バラエティ」が５本取得されている。そして、制御部２４は、取得した番組数の最も多いジャンル（図４では、「アニメ」）を第１優先ジャンルとして取得する制御を行うとともに、取得した番組数の２番目に多いジャンル（図４では、「ドラマ」）を第２優先ジャンルとして取得する制御を行うように構成されている。
【００４８】
そして、制御部２４は、図５に示すように、取得した第１優先ジャンルおよび第２優先ジャンルに基づいて、電子番組表のうちから、第１優先ジャンルおよび第２優先ジャンルの放送番組が比較的多く含まれる曜日、時間帯、および、チャンネル（ＣＨ）を検索して、多チャンネル自動録画設定範囲として取得する制御を行うように構成されている。この際、たとえば、所定のチャンネルの所定の時間帯に第１優先ジャンルおよび第２優先ジャンルを含む放送番組の番組数が所定のしきい値以上存在する場合に、比較的多く含まれると判定すればよい。また、この際、第１優先ジャンルを、第２優先ジャンルよりも優先度が高くなるように重み付けして判定されることが好ましい。図５では、ＣＨ１およびＣＨ２の月曜日の１５：００〜１８：００の時間帯が、多チャンネル自動録画設定範囲（密な斜線により示す）として取得されている。
【００４９】
また、第１実施形態では、制御部２４は、録画装置１００の録画動作が行われていない際（たとえば、メンテナンス時間）に、放送番組のジャンルに基づいて、多チャンネル自動録画設定を取得する制御を行うように構成されている。
【００５０】
また、第１実施形態では、制御部２４は、図６に示すように、多チャンネル自動録画設定が取得された場合には、取得された放送番組のジャンルに基づく多チャンネル自動録画設定に変更するか否かの問い合わせをユーザに通知する制御を行うように構成されている。具体的には、制御部２４は、多チャンネル自動録画設定の変更の通知画面４０を表示装置１０１の表示画面１０１ａに表示させることによって、変更するか否かの問い合わせをユーザに通知する制御を行うように構成されている。通知画面４０には、変更内容を確認するための画面上の確認ボタン４１と、設定を変更しないことを決定するための画面上のキャンセルボタン４２が表示されている。制御部２４は、操作部１８を用いて、ユーザによりキャンセルボタン４２が操作（選択）された場合には、設定を変更しない。また、制御部２４は、操作部１８を用いて、ユーザにより確認ボタン４１が操作（選択）された場合には、図７に示すように、多チャンネル自動録画設定の変更内容の確認画面５０を表示装置１０１の表示画面１０１ａに表示させる制御を行うように構成されている。
【００５１】
確認画面５０は、放送番組のジャンルに基づいて取得された多チャンネル自動録画設定を反映した多チャンネル自動録画設定の画面として表示される。すなわち、図７に示すように、自動録画する曜日として月曜日、自動録画する時間帯として１５：００〜１８：００、自動録画するチャンネルとしてＣＨ１およびＣＨ２が選択された状態の多チャンネル自動録画設定画面として表示される。
【００５２】
また、制御部２４は、多チャンネル自動録画設定の変更内容を修正可能なように確認画面５０を表示装置１０１の表示画面１０１ａに表示させる制御を行うように構成されている。したがって、ユーザは、確認画面５０において、操作部１８を用いて、放送番組のジャンルに基づいて取得された多チャンネル自動録画設定を修正することができる。たとえば、自動録画する曜日（破線により示す）、自動録画する時間帯（密な斜線により示す）、および、自動録画するチャンネルを増減させる修正を行うことができる。
【００５３】
また、確認画面５０には、設定を変更するための画面上の変更ボタン５１と、設定を変更しないことを決定するためのキャンセルボタン５２が表示されている。制御部２４は、操作部１８を用いて、ユーザによりキャンセルボタン５２が操作（選択）された場合には、キャンセルボタン４２が操作された場合と同様に、設定を変更しない。また、制御部２４は、操作部１８を用いて、ユーザにより変更ボタン５１が操作（選択）された場合には、録画動作が行われていない際（たとえば、メンテナンス時間）に、取得された放送番組のジャンルに基づく多チャンネル自動録画設定に変更する制御を行うように構成されている。
【００５４】
次に、図８を参照して、録画装置１００における外部記憶装置１０２が接続されたことに基づく録画設定取得処理についてフローチャートに基づいて説明する。
【００５５】
まず、ステップＳ１において、外部記憶装置１０２（図２参照）が接続部２１（図２参照）に接続されたか否かを判定する制御が制御部２４（図２参照）により行われる。外部記憶装置１０２が接続されていないと判定された場合には、ステップＳ１の処理を繰り返す。また、外部記憶装置１０２が接続されたと判定された場合には、ステップＳ２に進む。
【００５６】
そして、ステップＳ２において、外部記憶装置１０２に記憶されている放送番組の番組情報（放送番組のジャンル）を取得する制御が制御部２４により行われる。具体的には、外部記憶装置１０２に記憶されている放送番組を放送番組のジャンルに基づいて分類し、分類したジャンル毎の放送番組の番組数を取得する制御が制御部２４により行われる。
【００５７】
そして、ステップＳ３において、録画装置１００の録画動作が行われているか否かを判定する制御が制御部２４により行われる。録画動作が行われている場合には、ステップＳ３の処理を繰り返す。また、録画動作が行われていない場合には、ステップＳ４に進む。
【００５８】
そして、ステップＳ４において、番組情報（放送番組のジャンル）に基づいて多チャンネル自動録画設定を取得する制御が制御部２４により行われる。具体的には、第１優先ジャンルおよび第２優先ジャンルに基づいて、電子番組表のうちから、第１優先ジャンルおよび第２優先ジャンルの放送番組が比較的多く含まれる曜日、時間帯、および、チャンネル（ＣＨ）を検索して、多チャンネル自動録画設定範囲として取得する制御が制御部２４により行われる。
【００５９】
そして、ステップＳ５において、多チャンネル自動録画設定の変更の通知画面４０（図６参照）を表示装置１０１（図１参照）の表示画面１０１ａ（図１参照）に表示させる制御が制御部２４により行われる。
【００６０】
そして、ステップＳ６において、「変更内容を確認する」（確認ボタン４１）が選択されたか否かを判定する制御が制御部２４により行われる。具体的には、通知画面４０において、キャンセルボタン４２が操作（選択）された場合には、「変更内容を確認する」（確認ボタン４１）が選択されないと判定されて、番組情報に基づく多チャンネル自動録画設定に変更されることなく、録画設定取得処理が終了される。また、通知画面４０において、確認ボタン４１が操作（選択）された場合には、ステップＳ７に進む。
【００６１】
そして、ステップＳ７において、多チャンネル自動録画設定の変更内容の確認画面５０（図７参照）を表示装置１０１の表示画面１０１ａに表示させる制御が制御部２４により行われる。
【００６２】
そして、ステップＳ８において、「設定を変更する」（変更ボタン５１）が選択されたか否かを判定する制御が制御部２４により行われる。具体的には、確認画面５０において、キャンセルボタン５２が操作（選択）された場合には、「設定を変更する」が選択されないと判定されて、番組情報に基づく多チャンネル自動録画設定に変更されることなく、録画設定取得処理が終了される。また、確認画面５０において、変更ボタン５１が操作（選択）された場合には、ステップＳ９に進む。
【００６３】
そして、ステップＳ９において、録画装置１００の録画動作が行われているか否かを判定する制御が制御部２４により行われる。録画動作が行われている場合には、ステップＳ９の処理を繰り返す。また、録画動作が行われていない場合には、ステップＳ１０に進む。
【００６４】
そして、ステップＳ１０において、多チャンネル自動録画設定を、取得された放送番組のジャンルに基づく多チャンネル自動録画設定に変更する制御が制御部２４により行われる。具体的には、確認画面５０においてユーザの修正がある場合には、修正後の多チャンネル自動録画設定に変更する制御が行われるとともに、確認画面５０においてユーザの修正がない場合には、取得されたままの多チャンネル自動録画設定に変更する制御が制御部２４により行われる。その後、録画設定取得処理が終了される。
【００６５】
第１実施形態では、以下のような効果を得ることができる。
【００６６】
第１実施形態では、上記のように、外部記憶装置１０２に記憶されている放送番組の番組情報（放送番組のジャンル）を取得する制御を行うように制御部２４を構成する。これにより、外部記憶装置１０２を使用していたユーザの嗜好に基づく放送番組の番組情報を、外部記憶装置１０２から取得することができる。そして、取得された番組情報（放送番組のジャンル）に基づいて、多チャンネル番組自動録画設定を取得する制御を行うように制御部２４を構成する。これにより、外部記憶装置１０２を使用していたユーザの嗜好に基づく多チャンネル番組自動録画設定を取得することができる。その結果、外部記憶装置１０２を使用していたユーザは、録画装置１００において、容易に、自身の嗜好が反映された多チャンネル番組自動録画設定を行うことができる。
【００６７】
また、第１実施形態では、上記のように、外部記憶装置１０２が接続されたことに基づいて、外部記憶装置１０２に記憶されている放送番組の番組情報を取得する制御を行うように制御部２４を構成するとともに、取得された番組情報に基づいて、多チャンネル番組自動録画設定を取得する制御を行うように制御部２４を構成する。これにより、外部記憶装置１０２を使用していたユーザは、外部記憶装置１０２を録画装置１００に接続させるだけで、より容易に、多チャンネル番組自動録画設定を行うことができる。
【００６８】
また、第１実施形態では、上記のように、取得された番組情報に基づく多チャンネル番組自動録画設定が取得された場合には、取得された番組情報に基づく多チャンネル番組自動録画設定をユーザに通知する制御を行うように制御部２４を構成する。これにより、外部記憶装置１０２を使用していたユーザは、録画装置１００の制御部２４により取得された多チャンネル番組自動録画設定が、自身の嗜好が反映された多チャンネル番組自動録画設定であるか否かを確認することができる。
【００６９】
また、第１実施形態では、上記のように、取得された番組情報に基づく多チャンネル番組自動録画設定に変更するか否かの問い合わせをユーザに通知する制御を行うとともに、取得された番組情報に基づく多チャンネル番組自動録画設定に変更することが選択された場合に、多チャンネル番組自動録画設定を、取得された番組情報に基づく多チャンネル番組自動録画設定に変更する制御を行うように制御部２４を構成する。これにより、外部記憶装置１０２を使用していたユーザは、録画装置１００において、自身の嗜好が反映された多チャンネル番組自動録画設定である場合に、制御部２４により取得された多チャンネル番組自動録画設定に変更することができる。また、自身の嗜好が反映された多チャンネル番組自動録画設定ではない場合には、ユーザは、制御部２４により取得された多チャンネル番組自動録画設定に変更しないようにすれば、自身の嗜好が反映されていない多チャンネル番組自動録画設定が行われるのを抑制することができる。
【００７０】
また、第１実施形態では、上記のように、録画動作が行われていない際に、多チャンネル番組自動録画設定を、取得された番組情報に基づく多チャンネル番組自動録画設定に変更する制御を行うように制御部２４を構成する。これにより、録画動作が行われている際に多チャンネル番組自動録画設定が変更されたことに起因して、現在録画中の放送番組が多チャンネル自動録画設定に含まれなくなった場合などに、行われている録画動作が正常に行われなくなってしまうのを抑制することができる。
【００７１】
また、第１実施形態では、上記のように、録画動作が行われていない際に、取得された番組情報に基づいて、多チャンネル番組自動録画設定を取得する制御を行うように制御部２４を構成する。これにより、制御部２４による処理の負荷が大きい録画動作が行われていない際に、取得された番組情報に基づく多チャンネル番組自動録画設定を取得することができる。その結果、制御部２４の処理負荷が増大するのを抑制することができるとともに、取得された番組情報に基づく多チャンネル番組自動録画設定を取得する制御を迅速に行うことができる。
【００７２】
また、第１実施形態では、上記のように、放送番組のジャンルに基づいて、多チャンネル番組自動録画設定を取得する制御を行うように制御部２４を構成する。ここで、放送番組のジャンルには、ユーザの嗜好が反映され易いと考えられる。したがって、ユーザの嗜好を判別するのに好適な情報に基づく分、より確実に、ユーザの嗜好が反映された多チャンネル番組自動録画設定を取得することができる。
【００７３】
（第２実施形態）
次に、図１および図９〜図１１を参照して、第２実施形態について説明する。この第２実施形態では、外部記憶装置１０２に記憶されている放送番組の番組情報のみを取得した上記第１実施形態の構成とは異なり、外部記憶装置２０２、外部記憶装置２０３および内部記憶部２０に記憶されている放送番組の番組情報を取得する例について説明する。
【００７４】
本発明の第２実施形態による録画装置２００は、図１に示すように、所定の規格のケーブルにより表示装置１０１と接続されている。また、録画装置２００は、図９に示すように、２つの接続部１２１ａおよび１２１ｂと、制御部１２４とを備えている。なお、上記第１実施形態と同一の構成については、同じ符号を付してその説明を省略する。
【００７５】
２つの接続部１２１ａおよび１２１ｂは、ＵＳＢ規格に基づく端子を含んでいる。また、接続部１２１ａは、録画装置２００に外付けされる外部記憶装置２０２がＵＳＢ規格に基づく所定のケーブルを介して接続されるように構成されている。また、接続部１２１ｂは、録画装置２００に外付けされる外部記憶装置２０３がＵＳＢ規格に基づく所定のケーブルを介して接続されるように構成されている。外部記憶装置２０２および２０３としては、ハードディスクドライブ（ＨＤＤ）、および、ソリッドステートドライブ（ＳＳＤ）などが用いられる。
【００７６】
第２実施形態では、外部記憶装置２０２および２０３には、放送番組が記憶されている。たとえば、外部記憶装置２０２および２０３は、録画装置２００または録画装置２００とは異なる録画装置において使用されていた外部記憶装置であり、録画装置２００または録画装置２００とは異なる録画装置において録画された放送番組が記憶されている。
【００７７】
また、第２実施形態では、制御部１２４は、外部記憶装置２０２または２０３が接続されたことに基づいて、その時点で接続されている外部記憶装置および内部記憶部２０に記憶されている放送番組の番組情報を取得する制御を行うように構成されている。
【００７８】
具体的には、制御部１２４は、外部記憶装置２０２および２０３のいずれか一方が接続される際に、外部記憶装置２０２および２０３のいずれか他方が接続されている場合には、いずれか一方が接続されたことに基づいて、外部記憶装置２０２、外部記憶装置２０３および内部記憶部２０に記憶されている放送番組の番組情報（放送番組の放送された曜日、時間帯、チャンネル、および、放送番組のジャンルなどの情報）を取得する制御を行うように構成されている。なお、外部記憶装置２０２および２０３のいずれか一方は、本発明の「一の外部記憶装置」の一例である。また、外部記憶装置２０２および２０３のいずれか他方は、本発明の「他の外部記憶装置」の一例である。
【００７９】
また、制御部１２４は、外部記憶装置２０２および２０３のいずれか一方が接続される際に、外部記憶装置２０２および２０３のいずれか他方が接続されていない場合には、いずれか一方が接続されたことに基づいて、接続されたいずれか一方および内部記憶部２０に記憶されている放送番組の番組情報を取得する制御を行うように構成されている。そして、制御部１２４は、上記第１実施形態と同様に、取得された番組情報に基づいて、多チャンネル自動録画設定を取得する制御を行うように構成されている。
【００８０】
また、第２実施形態では、制御部１２４は、外部記憶装置２０２または２０３の接続が解除された場合にも、番組情報を取得する制御を行うように構成されている。すなわち、制御部１２４は、外部記憶装置２０２または２０３の接続が解除されたことに基づいて、その時点で接続されている外部記憶装置および内部記憶部２０に記憶されている放送番組の番組情報を取得する制御を行うように構成されている。
【００８１】
具体的には、制御部１２４は、外部記憶装置２０２および２０３のいずれか一方の接続が解除される際に、外部記憶装置２０２および２０３のいずれか他方が接続されている場合には、いずれか一方の接続が解除されたことに基づいて、接続されているいずれか他方および内部記憶部２０に記憶されている放送番組の番組情報を取得する制御を行うように構成されている。
【００８２】
また、制御部１２４は、外部記憶装置２０２および２０３のいずれか一方の接続が解除される際に、外部記憶装置２０２および２０３のいずれか他方が接続されていない場合には、いずれか一方の接続が解除されたことに基づいて、内部記憶部２０に記憶されている放送番組の番組情報を取得する制御を行うように構成されている。そして、制御部１２４は、外部記憶装置２０２および２０３のいずれか一方の接続が解除されたことに基づいて取得された番組情報に基づいて、多チャンネル自動録画設定を取得する制御を行うように構成されている。
【００８３】
次に、図１０を参照して、録画装置２００における外部記憶装置２０２または２０３が接続されたことに基づく録画設定処理についてフローチャートに基づいて説明する。なお、図８に示した上記第１実施形態と同一の処理については、同じ符号を付してその説明を省略する。
【００８４】
まず、ステップＳ１において、外部記憶装置２０２（図９参照）または２０３（図９参照）が接続されたか否かを判定する制御が制御部１２４（図９参照）により行われる。外部記憶装置２０２または２０３が接続されていないと判定された場合には、ステップＳ１の処理を繰り返す。外部記憶装置２０２または２０３が接続されたと判定された場合には、ステップＳ２に進む。
【００８５】
そして、ステップＳ２ａにおいて、外部記憶装置２０２および（または）２０３と、内部記憶部２０とに記憶されている放送番組の番組情報を取得する制御が制御部１２４により行われる。具体的には、外部記憶装置２０２および２０３のいずれか一方が接続される際に、外部記憶装置２０２および２０３のいずれか他方が接続されている場合には、外部記憶装置２０２、外部記憶装置２０３および内部記憶部２０に記憶されている放送番組の番組情報を取得する制御が制御部１２４により行われる。また、外部記憶装置２０２および２０３のいずれか一方が接続される際に、外部記憶装置２０２および２０３のいずれか他方が接続されていない場合には、接続されたいずれか一方および内部記憶部２０に記憶されている放送番組の番組情報を取得する制御が制御部１２４により行われる。そして、上記第１実施形態と同様にステップＳ３〜Ｓ１０までの処理が実行されて、録画装置２００の外部記憶装置２０２または２０３が接続されたことに基づく録画設定処理が終了される。
【００８６】
次に、図１１を参照して、録画装置２００における外部記憶装置２０２または２０３の接続が解除されたことに基づく録画設定処理についてフローチャートに基づいて説明する。
【００８７】
まず、ステップＳ１１において、外部記憶装置２０２（図９参照）または２０３（図９参照）の接続が解除されたか否かを判定する制御が制御部１２４（図９参照）により行われる。外部記憶装置２０２または２０３の接続が解除されていないと判定された場合には、ステップＳ１１の処理を繰り返す。外部記憶装置２０２または２０３が接続されたと判定された場合には、ステップＳ１２に進む。
【００８８】
そして、ステップＳ１２において、接続されている外部記憶装置２０２または２０３と、内部記憶部２０とに記憶されている放送番組の番組情報を取得する制御が制御部１２４により行われる。具体的には、外部記憶装置２０２および２０３のいずれか一方の接続が解除される際に、外部記憶装置２０２および２０３のいずれか他方が接続されている場合には、接続されているいずれか他方および内部記憶部２０に記憶されている放送番組の番組情報を取得する制御が制御部１２４により行われる。また、外部記憶装置２０２および２０３のいずれか一方の接続が解除される際に、外部記憶装置２０２および２０３のいずれか他方が接続されていない場合には、内部記憶部２０に記憶されている放送番組の番組情報を取得する制御が制御部１２４により行われる。そして、上記外部記憶装置２０２または２０３が接続されたことに基づく録画設定処理のステップＳ３〜Ｓ１０と同様の処理が、ぞれぞれ、ステップＳ１３〜２０において実行される。これにより、外部記憶装置２０２または２０３の接続が解除されたことに基づく録画設定処理が終了される。
【００８９】
なお、第２実施形態のその他の構成は、上記第１実施形態と同様である。
【００９０】
第２実施形態では、以下のような効果を得ることができる。
【００９１】
第２実施形態では、上記のように、外部記憶装置２０２および（または）２０３に記憶されている放送番組の番組情報を取得する制御を行うとともに、取得された番組情報に基づいて、多チャンネル番組自動録画設定を取得する制御を行うように制御部１２４を構成する。これにより、上記第１実施形態と同様に、容易に、自身の嗜好が反映された多チャンネル番組自動録画設定を行うことができる。
【００９２】
また、第２実施形態では、上記のように、外部記憶装置２０２および２０３の少なくともいずれか一方と、内部記憶部２０とに記憶されている放送番組の番組情報を取得する制御を行うとともに、取得された番組情報に基づいて、多チャンネル番組自動録画設定を取得する制御を行うように制御部１２４を構成する。これにより、外部記憶装置２０２および２０３の少なくともいずれか一方に記憶されている放送番組の番組情報に加えて、内部記憶部２０に記憶されている放送番組の番組情報にも基づいて多チャンネル番組自動録画設定を取得することができる。その結果、内部記憶部２０に記憶されている放送番組の番組情報にも基づく分、よりユーザの嗜好が反映された多チャンネル番組自動録画設定を取得することができる。
【００９３】
また、第２実施形態では、上記のように、外部記憶装置２０２および２０３のいずれか一方の接続が解除されたことに基づいて、少なくとも内部記憶部２０に記憶されている放送番組の番組情報を取得する制御を行うとともに、取得された番組情報に基づいて、多チャンネル番組自動録画設定を取得する制御を行うように制御部１２４を構成する。これにより、たとえば、外部記憶装置２０２または２０３を使用するユーザが録画装置２００を使用しなくなることにより、外部記憶装置２０２または２０３の接続が解除された場合に、外部記憶装置２０２または２０３を使用する（録画装置２００を使用しない）ユーザの嗜好を除外した状態で、多チャンネル番組自動録画設定を取得することができる。その結果、録画装置２００を使用する他のユーザのみの嗜好が反映された多チャンネル番組自動録画設定を容易に取得することができる。したがって、録画装置２００を使用するユーザの人数に変化がある場合にも、容易に、変化した後のユーザ（他のユーザ）の嗜好が反映された多チャンネル番組自動録画設定を行うことができる。
【００９４】
また、第２実施形態では、上記のように、外部記憶装置２０２および２０３のいずれか一方が接続される際に、外部記憶装置２０２および２０３のいずれか他方が接続されている場合には、外部記憶装置２０２および２０３のいずれか一方が接続されたことに基づいて、少なくとも外部記憶装置２０２および２０３に記憶されている放送番組の番組情報を取得する制御を行うとともに、取得された番組情報に基づいて、多チャンネル番組自動録画設定を取得する制御を行うように制御部１２４を構成する。これにより、たとえば、外部記憶装置２０２および２０３のいずれか一方を使用するユーザと、外部記憶装置２０２および２０３のいずれか他方を使用するユーザとが異なるユーザである場合に、外部記憶装置２０２および２０３のいずれか一方を使用するユーザおよび外部記憶装置２０２および２０３のいずれか他方を使用するユーザの両方の嗜好が反映された多チャンネル番組自動録画設定を取得することができる。また、たとえば、外部記憶装置２０２および２０３のいずれか一方を使用するユーザと、外部記憶装置２０２および２０３のいずれか他方を使用するユーザとが同じユーザである場合には、外部記憶装置２０２および２０３のいずれか他方に記憶されている放送番組の番組情報にも基づく分、外部記憶装置２０２および２０３を使用するユーザの嗜好がより反映された多チャンネル番組自動録画設定を取得することができる。
【００９５】
なお、第２実施形態のその他の効果は、上記第１実施形態と同様である。
【００９６】
（第３実施形態）
次に、図１２を参照して、第３実施形態について説明する。この第３実施形態では、上記第１および第２実施形態とは異なり、ネットワークサーバ２６０に記憶されている放送番組の番組情報を取得する例について説明する。なお、ネットワークサーバ２６０は、本発明の「外部記憶装置」の一例である。
【００９７】
本発明の第３実施形態による録画装置３００は、図１２に示すように、所定の規格のケーブルにより表示装置１０１と接続されている。また、録画装置３００は、ホームネットワークなどのローカルエリアネットワーク（ＬＡＮ）２７０を介して、ネットワークサーバ２６０と接続されるように構成されている。ネットワークサーバ２６０は、家庭内に設置されるホームサーバであり、大容量のハードディスクドライブなどの記憶部と、ＬＡＮ２７０を介して、ＬＡＮ２７０に接続された機器と通信するための通信部とを備えている。また、ネットワークサーバ２６０の記憶部には、放送番組の情報が記憶されている。
【００９８】
録画装置３００は、制御部２２４と、ＬＡＮ２７０を介してネットワークサーバ２６０と通信するための通信部２２５とを備えている。録画装置３００は、通信部２２５およびＬＡＮ２７０を介して、ネットワークサーバ２６０と通信可能に接続されている。なお、通信部２２５は、本発明の「接続部」の一例である。また、上記第１および第２実施形態と同一の構成については、同じ符号を付してその説明を省略する。
【００９９】
第３実施形態では、録画装置３００の制御部２２４は、ＬＡＮ２７０を介してネットワークサーバ２６０が接続されたことに基づいて、ネットワークサーバ２６０に記憶されている放送番組の番組情報（放送番組の放送された曜日、時間帯、チャンネル、および、放送番組のジャンルなどの情報）を取得する制御を行うとともに、取得された番組情報に基づいて、多チャンネル自動録画設定を取得する制御を行うように構成されている。
【０１００】
なお、第３実施形態のその他の構成は、上記第２実施形態と同様である。
【０１０１】
第３実施形態では、以下のような効果を得ることができる。
【０１０２】
第３実施形態では、上記のように、ネットワークサーバ２６０に記憶されている放送番組の番組情報を取得する制御を行うとともに、取得された番組情報に基づいて、多チャンネル番組自動録画設定を取得する制御を行うように制御部２２４を構成する。これにより、上記第１実施形態と同様に、容易に、自身の嗜好が反映された多チャンネル番組自動録画設定を行うことができる。
【０１０３】
また、第３実施形態では、上記のように、外部記憶装置としてネットワークサーバ２６０を用いることによって、単に録画装置３００を操作してＬＡＮ２７０に接続させるだけで、ネットワークサーバ２６０と接続させることができる。その結果、録画装置３００にＵＳＢ規格に基づく所定のケーブルなどにより直接的に外部記憶装置を接続させる場合と比べて、録画装置３００と外部記憶装置（ネットワークサーバ２６０）との接続に関する手間を省略することができる。
【０１０４】
なお、第３実施形態のその他の効果は、上記第２実施形態と同様である。
【０１０５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０６】
たとえば、上記第１〜第３実施形態では、ハードディスクレコーダとしての録画装置１００（２００、３００）に本発明を適用した例を示したが、本発明はこれに限られない。本発明は、ハードディスクレコーダとしての録画装置以外の録画装置にも適用可能である。たとえば、録画機能を有するテレビジョン装置、または、録画可能なＳＴＢとしての録画装置に本発明を適用してもよい。
【０１０７】
また、上記第１〜第３実施形態では、外部記憶装置１０２（２０２、２０３）またはネットワークサーバ２６０が接続されたことに基づいて、外部記憶装置１０２（２０２、２０３）またはネットワークサーバ２６０に記憶されている放送番組の番組情報が取得された例を示したが、本発明はこれに限られない。本発明では、外部記憶装置が接続されたことに基づくことなく、外部記憶装置に記憶されている放送番組の番組情報が取得されてもよい。たとえば、外部記憶装置が接続された後、ユーザの操作に基づいて、外部記憶装置に記憶されている放送番組の番組情報が取得されてもよい。
【０１０８】
また、上記第１および第２実施形態では、録画装置１００（２００）が２つの受信部１１を備えた例を示したが、本発明はこれに限られない。本発明では、録画装置が３つ以上の受信部を備えていてもよい。
【０１０９】
また、上記第１実施形態では、１つの外部記憶装置１０２が用いられた例を、第２実施形態では、２つの外部記憶装置２０２および２０３が用いられた例を示したが、本発明はこれに限られない。本発明では、３つ以上の外部記憶装置が用いられてもよい。
【０１１０】
また、上記第１および第２実施形態では、ＵＳＢ規格に基づく端子を含む接続部２１（１２１ａ、１２１ｂ）が設けられた例を示したが、本発明はこれに限られない。本発明では、外部記憶装置を接続することができれば、ＵＳＢ規格以外の規格に基づく端子が設けられてもよい。たとえば、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）に用いられる規格に基づく端子が設けられてもよい。
【０１１１】
また、上記第１および第２実施形態では、録画装置１００（２００）の録画動作が行われていない際に、放送番組のジャンルに基づいて、多チャンネル自動録画設定が取得された例を示したが、本発明はこれに限られない。本発明では、録画装置の録画動作が行われていない際以外の時間に、放送番組のジャンルに基づいて、多チャンネル自動録画設定が取得されてもよい。
【０１１２】
また、上記第１および第２実施形態では、録画装置１００（２００）の録画動作が行われていない際に、取得された放送番組のジャンルに基づく多チャンネル自動録画設定に変更された例を示したが、本発明はこれに限られない。本発明では、録画装置の録画動作が行われていない際以外の時間に、取得された放送番組のジャンルに基づく多チャンネル自動録画設定に変更されてもよい。
【０１１３】
また、上記第１実施形態では、取得された番組情報に基づく多チャンネル自動録画設定に変更するか否かの問い合わせをユーザに通知した例を示したが、本発明はこれに限られない。本発明では、取得された番組情報に基づく多チャンネル自動録画設定に変更するか否かの問い合わせをユーザに通知することなく、取得された番組情報に基づく多チャンネル自動録画設定に変更してもよい。
【０１１４】
また、上記第１実施形態では、放送番組の番組情報として放送番組のジャンルを用いた例を示したが、本発明は、これに限られない。本発明では、放送番組の番組情報として放送番組のジャンル以外の情報を用いてもよい。たとえば、放送番組の放送された曜日、時間帯、および、チャンネルを用いてもよい。この場合、たとえば、いずれの曜日（時間帯、チャンネル）において放送された放送番組の番組数がいずれであるかを取得して、少なくとも取得した番組数の最も多い曜日（時間帯、チャンネル）に基づいて、多チャンネル自動録画設定を取得してもよい。また、これらの番組情報の組み合わせにより、多チャンネル自動録画設定を取得してもよい
【０１１５】
また、上記第３実施形態では、録画装置３００がＬＡＮ２７０を介してネットワークサーバ２６０と接続された例を示したが、本発明はこれに限られない。本発明では、録画装置がＬＡＮ以外のネットワーク（たとえば、インターネット）を介してネットワークサーバと接続されてもよいし、録画装置がネットワークを介することなくネットワークサーバと接続されてもよい。
【０１１６】
また、上記第１および第２実施形態では、説明の便宜上、本発明の制御部２４（１２４）の処理を処理フローに沿って順番に処理を行うフロー駆動型のフローチャートを用いて説明したが、本発明はこれに限られない。本発明では、制御部２４（１２４）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１７】
２０  内部記憶部
２１、１２１ａ、１２１ｂ  接続部
２４、１２４、２２４  制御部
１００、２００、３００  録画装置
１０２  外部記憶装置
２０２、２０３  外部記憶装置（一の外部記憶装置、他の外部記憶装置）
２２５  通信部（接続部）
２６０  ネットワークサーバ（外部記憶装置）
【図１】
2015226181.tif 000003
【図２】
2015226181.tif 000004
【図３】
2015226181.tif 000005
【図４】
2015226181.tif 000006
【図５】
2015226181.tif 000007
【図６】
2015226181.tif 000008
【図７】
2015226181.tif 000009
【図８】
2015226181.tif 000010
【図９】
2015226181.tif 000011
【図１０】
2015226181.tif 000012
【図１１】
2015226181.tif 000013
【図１２】
2015226181.tif 000014